(57)【要約】  口腔のケアを充分に行うことのできる口腔ケア具を提供する。口腔ケア具１は、袋体１０を備えている。袋体１０には、口腔用の薬液が収容されている。袋体１０の裏面の少なくとも一部には、歯を磨くための歯磨き部が設けられている。口腔ケア具１は、薬液が取り出された後に袋体１０を裏返すことにより、歯磨き部で歯を磨けるように構成されている。
2018066030.tif 000002
【特許請求の範囲】
【請求項１】
口腔用の薬液が収容された袋体を備え、
前記袋体の裏面の少なくとも一部には、歯を磨くための歯磨き部が設けられており、
前記薬液が取り出された後に前記袋体を裏返すことにより、前記歯磨き部で歯を磨けるように構成されていることを特徴とする口腔ケア具。
【請求項２】
請求項１に記載の口腔ケア具において、
前記歯磨き部の摩擦係数は、前記袋体の表面の摩擦係数よりも大きい口腔ケア具。
【請求項３】
請求項１又は２に記載の口腔ケア具において、
前記歯磨き部の表面粗さは、前記袋体の表面の表面粗さよりも大きい口腔ケア具。
【請求項４】
請求項１乃至３の何れかに記載の口腔ケア具において、
前記歯磨き部は、前記裏面の一部にのみ設けられている口腔ケア具。
【請求項５】
請求項４に記載の口腔ケア具において、
前記歯磨き部は、前記袋体の上端よりも下端寄りに設けられている口腔ケア具。
【請求項６】
請求項５に記載の口腔ケア具において、
前記歯磨き部は、前記袋体の底部まで達するように設けられている口腔ケア具。
【請求項７】
請求項５又は６に記載の口腔ケア具において、
前記歯磨き部は、前記袋体の中央から前記下端までの領域内にのみ設けられている口腔ケア具。
【請求項８】
請求項４乃至７の何れかに記載の口腔ケア具において、
前記歯磨き部の摩擦係数は、前記裏面における当該歯磨き部以外の部分の摩擦係数よりも大きい口腔ケア具。
【請求項９】
請求項４乃至８の何れかに記載の口腔ケア具において、
前記歯磨き部の表面粗さは、前記裏面における当該歯磨き部以外の部分の表面粗さよりも大きい口腔ケア具。
【請求項１０】
請求項１乃至９の何れかに記載の口腔ケア具において、
前記歯磨き部は、吸水性を有する材料からなる口腔ケア具。
【請求項１１】
請求項１乃至１０の何れかに記載の口腔ケア具において、
前記歯磨き部は、不織布又はコットンからなる口腔ケア具。
【請求項１２】
請求項１乃至１１の何れかに記載の口腔ケア具において、
前記袋体は、当該袋体の表面を構成する表面層と、当該袋体の前記裏面を構成する裏面層とを有するシートからなる口腔ケア具。
【請求項１３】
請求項１２に記載の口腔ケア具において、
前記表面層の少なくとも一部は、前記袋体から剥離可能である口腔ケア具。
【請求項１４】
請求項１２又は１３に記載の口腔ケア具において、
前記裏面層の少なくとも一部は、前記袋体から剥離可能である口腔ケア具。
【請求項１５】
請求項１２乃至１４の何れかに記載の口腔ケア具において、
前記表面層は、アルミニウムからなる口腔ケア具。
【請求項１６】
請求項１２乃至１５の何れかに記載の口腔ケア具において、
前記シートは、前記表面層と前記裏面層との間に挟まれた中間層を有する口腔ケア具。
【請求項１７】
請求項１６に記載の口腔ケア具において、
前記中間層は、防水性を有する材料からなる口腔ケア具。
【請求項１８】
請求項１６又は１７に記載の口腔ケア具において、
前記中間層は、前記表面層と同一の材料からなる口腔ケア具。
【請求項１９】
請求項１乃至１８の何れかに記載の口腔ケア具において、
前記袋体の幅は、当該袋体の上端から下端に向かうにつれて次第に小さくなる口腔ケア具。
【発明の詳細な説明】
【技術分野】
【０００１】
本発明は、口腔のケアに用いられる口腔ケア具に関する。
【背景技術】
【０００２】
従来の口腔ケア具としては、例えば特許文献１に記載されたものがある。同文献に記載された口腔ケア具は、洗口液が充填された袋体を備えている。袋体の上部には、洗口液を吸引するための口部が設けられている。
【先行技術文献】
【特許文献】
【０００３】
【特許文献１】特開２０１４−３０５１８号公報
【発明の概要】
【発明が解決しようとする課題】
【０００４】
上述の口腔ケア具によれば、袋体から吸引した洗口液で口をゆすぐことにより、口腔のケアをすることができる。しかしながら、歯磨きをするには、歯ブラシ等の歯磨き具を別に用意しなければならない。それゆえ、この口腔ケア具だけでは、口腔のケアを充分に行うことができない。【０００５】
本発明は、上記課題に鑑みてなされたものであり、口腔のケアを充分に行うことのできる口腔ケア具を提供することを目的とする。
【課題を解決するための手段】
【０００６】
本発明による口腔ケア具は、口腔用の薬液が収容された袋体を備え、上記袋体の裏面の少なくとも一部には、歯を磨くための歯磨き部が設けられており、上記薬液が取り出された後に上記袋体を裏返すことにより、上記歯磨き部で歯を磨けるように構成されていることを特徴とする。【０００７】
この口腔ケア具においては、袋体に、口腔用の薬液が収容されている。このため、袋体から取り出した薬液で口をゆすぐことができる。さらに、袋体の裏面には、歯磨き部が設けられている。この口腔ケア具は、薬液が取り出された後の袋体を裏返すことにより、歯磨き部で歯を磨けるように構成されている。このため、薬液による口のすすぎだけでなく、歯磨きをも行うことができる。
【発明の効果】
【０００８】
本発明によれば、口腔のケアを充分に行うことのできる口腔ケア具が実現される。
【図面の簡単な説明】
【０００９】
【図１】本発明による口腔ケア具の第１実施形態を示す正面図である。
【図２】図１の袋体１０を構成するシート２０を示す断面図である。
【図３】図１の袋体１０が開封された状態を示す斜視図である。
【図４】図３の袋体１０が裏返された状態を示す斜視図である。
【図５】本発明による口腔ケア具の第２実施形態を示す正面図である。
【図６】図５の袋体１０を構成するシート２０を示す断面図である。
【図７】図５の袋体１０が開封後に裏返された状態を示す斜視図である。
【図８】変形例に係るシート２０を示す断面図である。
【図９】変形例に係る袋体１０を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による口腔ケア具の第１実施形態を示す正面図である。口腔ケア具１は、口腔のケアに用いられる口腔ケア具であって、袋体１０を備えている。袋体１０は、正面視で、縦長の長方形をしている。袋体１０の長さｄ１は、例えば、５〜１０ｃｍ程度である。また、袋体１０の幅ｄ２は、例えば、３〜６ｃｍ程度である。ここで、長さｄ１は、袋体１０を平坦にした状態（後述する薬液が収容されていない状態）における上端から下端までの距離として定義される。幅ｄ２も、同様の状態における左端から右端までの距離として定義される。
【００１２】
袋体１０には、口腔用の薬液（図示せず）が収容されている。かかる薬液としては、例えば、マウスウォッシュ（洗口液）、液体歯磨き等が挙げられる。袋体１０は、薬液が外に漏れないように密封されている。袋体１０の上端の近傍には、袋体１０を開封するための開封口１２が形成されている。本実施形態において開封口１２は、切込みからなる。
【００１３】
袋体１０は、１枚のシートからなる。具体的には、１枚のシートを折り返して、当該シートにおける折返し部以外の周縁部をシールすることにより形成されている。図１においては、袋体１０の右端が折返し部となっており、残りの三方（上端、下端、左端）に沿って周縁部がシールされている。
【００１４】
図２は、袋体１０を構成するシート２０を示す断面図である。シート２０は、表面層２２及び裏面層２４からなる。表面層２２は、袋体１０の表面を構成する層であり、開封前の袋体１０において外側に露出している。表面層２２は、防水性を有する材料からなり、薬液を透過させたり吸収したりしない。表面層２２の材料としては、例えば、アルミニウム又はプラスチックを用いることができる。表面層２２の少なくとも一部は、袋体１０から剥離可能であることが好ましい。ここで、表面層２２が剥離可能であるとは、裏面層２４を損傷することなく、袋体１０から表面層２２を容易に剥がせるということである。
【００１５】
本実施形態において裏面層２４は、表面層２２の略全体に積層されている。裏面層２４は、袋体１０の裏面を構成する層であり、開封前の袋体１０において薬液に直接触れている。裏面層２４は、吸水性を有する材料からなり、薬液を吸収する。裏面層２４は、後述するように、歯を磨くための歯磨き部として機能する。すなわち、本実施形態においては、袋体１０の裏面の全体に歯磨き部が設けられている。裏面層２４の摩擦係数は、袋体１０の表面（表面層２２）の摩擦係数よりも大きい。裏面層２４の表面粗さ（Ｒａ）は、袋体１０の表面の表面粗さよりも大きい。裏面層２４には、凹凸が形成されていることが好ましい。また、裏面層２４は、表面層２２よりも柔らかい材料からなることが好ましい。裏面層２４の材料としては、例えば、不織布又はコットン（ガーゼ）を用いることができる。
【００１６】
続いて、図３及び図４を参照しつつ、口腔ケア具１の使用方法の一例を説明する。まず、開封口１２から袋体１０を開封する。具体的には、開封口１２から袋体１０の一部（上端を含む部分）を切り取る。これにより、図３に示すように、上部に口部１０ａ（開口部）を有する袋体１０が得られる。その後、開封された袋体１０から取り出した薬液で、口をゆすぐ。さらに、図４に示すように、薬液が取り出されて空になった袋体１０を裏返す。例えば、袋体１０の底部１０ｂが口部１０ａをくぐり抜けるように、底部１０ｂを上方に押し込むことにより、袋体１０を裏返すことができる。これにより、裏面が外側に露出した袋体１０が得られる。かかる袋体１０を指（例えば人差し指）に被せて歯磨き部（裏面層２４）で歯を擦ることにより、歯を磨くことができる。このように、口腔ケア具１は、薬液が取り出された後に袋体１０を裏返すことにより、歯磨き部で歯を磨けるように構成されている。
【００１７】
口腔ケア具１の効果を説明する。口腔ケア具１においては、袋体１０に、口腔用の薬液が収容されている。このため、袋体１０から取り出した薬液で口をゆすぐことができる。さらに、袋体１０の裏面には、歯磨き部（裏面層２４）が設けられている。口腔ケア具１は、薬液が取り出された後の袋体１０を裏返すことにより、歯磨き部で歯を磨けるように構成されている。このため、薬液による口のすすぎだけでなく、歯磨きをも行うことができる。したがって、口腔のケアを充分に行うことのできる口腔ケア具１が実現されている。
【００１８】
このように口腔ケア具１によれば、歯ブラシ等の歯磨き具を別に用意しなくても、口のすすぎから歯磨きまでの一連の口腔ケアを実行することができる。それゆえ、口腔ケア具１を携帯していれば、外出先でも充分な口腔ケアを行うことが可能である。例えば、旅行先は勿論、飛行機や列車の中でも口腔ケア具１を用いて口腔ケアを行うことができる。かかる口腔ケア具１は、避難所においても好適に用いることができるため、防災グッズとしても役立つ。
【００１９】
また、袋体１０の裏面は、開封前の袋体１０において外側に露出せず、しかも薬液に直接触れていた面である。それゆえ、かかる裏面で歯を磨くことは、袋体１０の表面で歯を磨く場合に比して、格段に衛生的である。
【００２０】
裏面層２４の摩擦係数は、表面層２２の摩擦係数よりも大きい。このように歯磨き部である裏面層２４の摩擦係数を大きくすることにより、歯磨き効果を高めることができる。ただし、裏面層２４の摩擦係数を表面層２２のそれよりも大きくすることは、必須でない。
【００２１】
裏面層２４の表面粗さは、表面層２２の表面粗さよりも大きい。このように歯磨き部である裏面層２４の表面粗さを大きくすることによっても、歯磨き効果を高めることができる。ただし、裏面層２４の表面粗さを表面層２２のそれよりも大きくすることは、必須でない。
【００２２】
裏面層２４は、吸水性を有する材料からなっている。この場合、歯磨き部である裏面層２４に薬液が染み込んだ状態で歯を磨くことができるため、歯磨き効果を高めることができる。ただし、裏面層２４に吸水性をもたせることは、必須でない。
【００２３】
シート２０は、表面層２２及び裏面層２４を有している。このように袋体１０の表面を構成する層と裏面を構成する層とを別々に設けることにより、各層の機能に応じて最適な材料を選択しやすくなる。例えば、表面層２２には防水に適した材料を用いる一方で、裏面層２４には歯磨きに適した材料を用いることができる。
【００２４】
表面層２２が袋体１０から剥離可能である場合、袋体１０を裏返す前に表面層２２を剥がすことができる。このように表面層２２を袋体１０から取り除くことにより、裏面層２４で歯を磨く際に表面層２２が口内に入るのを防ぐことができる。表面層２２は、開封前の袋体１０において外側に露出していた層である。それゆえ、表面層２２を口内に入れないようにすることが、衛生上の観点から好ましい。
【００２５】
袋体１０は、裏返された後も袋の形状を維持している。このため、裏返された袋体１０を指サックのように指に被せることができる。これにより、歯を磨きやすくなる。
（第２実施形態）
【００２６】
図５は、本発明による口腔ケア具の第２実施形態を示す正面図である。口腔ケア具２は、口腔のケアに用いられる口腔ケア具であって、袋体１０を備えている。本実施形態においては、袋体１０を構成するシート２０の構造が第１実施形態と異なっている。すなわち、シート２０において裏面層２４は、図６に示すように、表面層２２の一部にのみ積層されている。同図においては、右側が袋体１０の上端側であり、左側が袋体１０の下端側である。
【００２７】
このように、歯磨き部（裏面層２４）は、袋体１０の裏面の一部にのみ設けられている。袋体１０の裏面における歯磨き部以外の部分には、表面層２２が露出している。すなわち、表面層２２の上面は袋体１０の表面を構成する一方で、表面層２２の下面の一部（裏面層２４が積層されていない部分）は、裏面層２４と共に、袋体１０の裏面を構成している。裏面層２４の摩擦係数は、袋体１０の裏面における歯磨き部以外の部分（表面層２２の下面）の摩擦係数よりも大きい。また、裏面層２４の表面粗さは、袋体１０の裏面における上記部分の表面粗さよりも大きい。
【００２８】
歯磨き部は、袋体１０の上端よりも下端寄りに設けられている。歯磨き部は、底部１０ｂまで達する一方で、口部１０ａには達しないように設けられている。すなわち、歯磨き部は、口部１０ａを避けるようにして、袋体１０の裏面の一部にのみ設けられている。また、歯磨き部は、正面視で袋体１０の下半分の領域、すなわち袋体１０の中央（袋体１０の長さを二等分する地点）から下端までの領域内にのみ設けられている。袋体１０を開封後に裏返すことにより、図７に示すように、袋体１０の外側に歯磨き部（裏面層２４）を露出させることができる。口腔ケア具２のその他の構成は、口腔ケア具１と同様である。
【００２９】
口腔ケア具２の効果を説明する。歯磨き部（裏面層２４）は、口部１０ａを避けるようにして、袋体１０の裏面の一部にのみ設けられている。これにより、裏面層２４で歯を磨く際、袋体１０が口内に深く入りすぎるのを防ぎやすくなる。袋体１０の裏面は、口部１０ａにおいて表面（開封前の袋体１０において外側に露出していた面）につながっている。それゆえ、衛生上の観点から、袋体１０を口内に深く入れすぎないようにすることが好ましい。
【００３０】
歯磨き部は、袋体１０の上端よりも下端寄りに設けられている。このため、歯磨き部が上端寄りに設けられている場合に比して、袋体１０を口内に浅く入れた状態で歯を磨くことができる。それゆえ、かかる構成は、袋体１０が口内に深く入りすぎるのを防ぐのに有利である。
【００３１】
歯磨き部は、底部１０ｂまで達するように設けられている。このため、袋体１０の底部１０ｂ付近でも歯を磨くことができる。これにより、袋体１０が口内に深く入りすぎるのを一層防ぎやすくなる。
【００３２】
歯磨き部は、正面視で袋体１０の下半分の領域内にのみ設けられている。すなわち、歯磨き部は、袋体１０の上半分の領域には設けられていない。このため、歯磨き部が上半分の領域に設けられている場合に比して、袋体１０を口内に浅く入れた状態で歯を磨くことができる。それゆえ、かかる構成は、袋体１０が口内に深く入りすぎるのを防ぐのに特に有利である。
【００３３】
裏面層２４の摩擦係数は、袋体１０の裏面における歯磨き部以外の部分の摩擦係数よりも大きい。このように歯磨き部である裏面層２４の摩擦係数を大きくすることにより、歯磨き効果を高めることができる。
【００３４】
裏面層２４の表面粗さは、袋体１０の裏面における歯磨き部以外の部分の表面粗さよりも大きい。このように歯磨き部である裏面層２４の表面粗さを大きくすることによっても、歯磨き効果を高めることができる。口腔ケア具２のその他の効果は、口腔ケア具１と同様である。
【００３５】
本発明は、上記実施形態に限定されるものではなく、様々な変形が可能である。上記実施形態においては、シート２０が表面層２２及び裏面層２４からなる場合を例示した。しかし、シート２０は、図８に示すように、表面層２２、裏面層２４及び中間層２６からなっていてもよい。中間層２６は、表面層２２と裏面層２４との間に挟まれた層である。中間層２６は、防水性を有する材料からなり、薬液を透過させたり吸収したりしない。中間層２６は、表面層２２と同一の材料からなっていてもよいし、異なる材料からなっていてもよい。表面層２２の少なくとも一部は、中間層２６を残して、袋体１０から剥離可能であることが好ましい。つまり、中間層２６を残したまま表面層２２のみを袋体１０から剥がせるように構成されていることが好ましい。
【００３６】
このように中間層２６を設けることにより、表面層２２を剥がした後も、袋体１０の防水性を確実に維持することができる。すなわち、袋体１０の裏面から表面に薬液が浸透するのを、中間層２６によって確実に阻止することができる。特に中間層２６が表面層２２と同一の材料からなる場合、袋体１０の形成コストひいては口腔ケア具の製造コストを削減することができる。
【００３７】
上記実施形態においては、表面層２２の少なくとも一部が袋体１０から剥離可能である場合を例示した。しかし、裏面層２４の少なくとも一部が、袋体１０から剥離可能であってもよい。ここで、裏面層２４が剥離可能であるとは、表面層２２を損傷することなく、袋体１０から裏面層２４を容易に剥がせるということである。その場合、袋体１０から剥がした裏面層２４で歯を磨いてもよい。
【００３８】
上記実施形態においては、シート２０が複数の層からなる場合を例示した。しかし、シート２０は、単一の層からなっていてもよい。その場合、例えば、シート２０の下面（袋体１０の裏面）の全体又は一部に表面処理（例えば粗面化処理）を施すことにより、歯磨き部を形成してもよい。
【００３９】
上記実施形態においては、袋体１０の幅が一定である場合を例示した。しかし、袋体１０の幅は、図９に示すように、袋体１０の上端から下端に向かうにつれて次第に小さくなってもよい。このように下端に比して上端を広くすることにより、袋体１０を裏返しやすくなる。また、裏返された袋体１０が先細りの形状となるため、当該袋体１０を指に被せやすくなる。
【００４０】
上記実施形態においては、歯磨き部で歯を磨く際にも袋体１０が袋の形状を維持する場合を例示した。しかし、歯磨き部で歯を磨く際には、袋体１０は、袋の形状を維持していなくてもよい。すなわち、袋体１０を展開してシート状にしてから歯磨き部で歯を磨いてもよい。
【００４１】
上記実施形態においては、袋体１０が１枚のシートからなる場合を例示した。しかし、袋体１０は、２枚のシートからなっていてもよい。その場合、２枚のシートを重ね合わせて、両シートの周縁部全体をシールすることにより、袋体１０を形成することができる。
【符号の説明】
【００４２】
１  口腔ケア具
２  口腔ケア具
１０  袋体
１０ａ  口部
１０ｂ  底部
１２  開封口
２０  シート
２２  表面層
２４  裏面層（歯磨き部）
２６  中間層
【図１】
2018066030.tif 000003
【図２】
2018066030.tif 000004
【図３】
2018066030.tif 000005
【図４】
2018066030.tif 000006
【図５】
2018066030.tif 000007
【図６】
2018066030.tif 000008
【図７】
2018066030.tif 000009
【図８】
2018066030.tif 000010
【図９】
2018066030.tif 000011
【国際調査報告】
2018066030.tif 000012
2018066030.tif 000013
2018066030.tif 000014
2018066030.tif 000015